(57)【要約】【課題】乾燥ローラの乾燥機能を向上させることのできる情報表示媒体リサイクル装置及び情報表示媒体リサイクル方法を提供する。【解決手段】情報表示媒体１を洗浄液により洗浄する洗浄部１１と、洗浄部１１を通過した情報表示媒体１に当接して情報表示媒体１を乾燥させる乾燥ローラ１２と、加熱部１３を有し、加熱部１３の熱により情報表示媒体１に保持された情報を消去させるサーマルヘッド１４と、サーマルヘッド１４の熱を乾燥ローラ１２に伝える熱伝導手段１５と、を備える。【選択図】図１
2014069394.tif 000002
【特許請求の範囲】
【請求項１】
情報表示媒体を洗浄液により洗浄する洗浄部と、
前記洗浄部を通過した前記情報表示媒体に当接して該情報表示媒体を乾燥させる乾燥ローラと、
加熱部を有し、該加熱部の熱により前記情報表示媒体に保持された情報を消去させるサーマルヘッドと、
前記サーマルヘッドの熱を前記乾燥ローラに伝える熱伝導手段と、を備えることを特徴とする情報表示媒体リサイクル装置。
【請求項２】
前記熱伝導手段は、前記サーマルヘッドの熱を送り出すファンであることを特徴とする請求項１に記載の情報表示媒体リサイクル装置。
【請求項３】
前記熱伝導手段は、前記乾燥ローラと、前記サーマルヘッドとの間に配設されていることを特徴とする請求項１または請求項２の記載した情報表示媒体リサイクル装置。
【請求項４】
前記サーマルヘッドの加熱部を加熱駆動及び停止を行う制御部を備え、
前記制御部は、前記サーマルヘッドの位置が上昇位置を含む各位置において前記加熱部を加熱駆動させるプログラムを有することを特徴とする請求項１から請求項３のいずれか一項に記載の情報表示媒体リサイクル装置。
【請求項５】
情報表示媒体を洗浄液により洗浄する洗浄工程と、
前記洗浄工程を経た前記情報表示媒体を乾燥させる乾燥工程と、
前記乾燥工程を経た前記情報表示媒体に保持される情報をサーマルヘッドにより消去する消去工程と、を含み、
前記乾燥工程を前記サーマルヘッドで発生する熱を利用しつつ乾燥を行うようにすることを特徴とする情報表示媒体リサイクル方法。
【発明の詳細な説明】
【技術分野】
【０００１】
本発明は、例えば、製造ラインでの作業指示書に用いられる情報表示媒体リサイクル装置及び情報表示媒体リサイクル方法に関する。
【背景技術】
【０００２】
情報表示媒体リサイクル装置及び情報表示媒体リサイクル方法の一例が特許文献１に記載されている。
図５に示すように、特許文献１の情報表示媒体リサイクル装置１００は、挿入された情報表示媒体１０１を送りローラ１０２によって移送する。
また、情報表示媒体リサイクル装置１００は、送りローラ１０２の洗浄筒１０３及び水滴除去刷毛１０４により洗浄・水洗・水滴除去を行う。
そして、情報表示媒体リサイクル装置１００は、洗浄・水洗・水滴除去された情報表示媒体１０１を、乾燥ローラ１０５で給水乾燥させる。
【０００３】
また、情報表示媒体リサイクル装置の他例が特許文献２に記載されている。
特許文献２の情報表示媒体リサイクル装置は、挿入された情報表示媒体が搾りローラを通過する際に水分を搾り取られる。
また、特許文献２の情報表示媒体リサイクル装置は、ヒータを内蔵した乾燥ローラを通過することにより情報表示媒体が加熱されて排出される。
【先行技術文献】
【特許文献】
【０００４】
【特許文献１】特開昭６３−１６２０８７号公報
【特許文献２】特開２００１−９２３１８号公報
【発明の概要】
【発明が解決しようとする課題】
【０００５】
ところが、特許文献１に記載の情報表示媒体リサイクル装置１００は、洗浄枚数の増大に伴い、拭き取った水分が乾燥ローラ１０５に溜まることにより乾燥機能が低下する。
この場合、情報表示媒体リサイクル装置１００は、乾燥ローラ１０５を取り外し可能なユニット化とし、洗浄枚数が上限の枚数に達したときに、ユニットを交換するようにしていた。
そのため、洗浄枚数の増大に伴って乾燥ローラ１０５に水分が溜まることを解消できないばかりか、ユニットの交換が煩雑であるという課題があった。
【０００６】
一方、特許文献２に記載の情報表示媒体リサイクル装置は、乾燥ローラに内蔵されたヒータにより情報表示媒体を加熱して水分を除去することができる。
しかし、特許文献２に記載の情報表示媒体リサイクル装置は、乾燥ローラの構成が複雑になる。
加えて、特許文献２に記載の情報表示媒体リサイクル装置は、乾燥ローラがポリエチレン、ポリプロピレン等の合成樹脂材料である場合、ヒータの熱により乾燥ローラの劣化が短時間で起こることがある。
【０００７】
本発明は、前述した課題を解決するためになされたものであり、その目的は、乾燥ローラの乾燥機能を向上することができ、構成が簡単であるとともに乾燥ローラの交換が不要であり、しかも乾燥ロールの劣化を抑えることのできる情報表示媒体リサイクル装置及び情報表示媒体リサイクル方法を提供することにある。
【課題を解決するための手段】
【０００８】
本発明に係る情報表示媒体リサイクル装置は、情報表示媒体を洗浄液により洗浄する洗浄部と、前記洗浄部を通過した前記情報表示媒体に当接して該情報表示媒体を乾燥させる乾燥ローラと、加熱部を有し、該加熱部の熱により前記情報表示媒体に保持された情報を消去させるサーマルヘッドと、前記サーマルヘッドの熱を前記乾燥ローラに伝える熱伝導手段と、を備えることを特徴とする。
【０００９】
本発明に係る情報表示媒体リサイクル方法は、情報表示媒体を洗浄液により洗浄する洗浄工程と、前記洗浄工程を経た前記情報表示媒体を乾燥させる乾燥工程と、前記乾燥工程を経た前記情報表示媒体に保持される情報をサーマルヘッドにより消去する消去工程と、を含み、前記乾燥工程を前記サーマルヘッドで発生する熱を利用しつつ乾燥を行うようにすることを特徴とする。
【発明の効果】
【００１０】
本発明に係る情報表示媒体リサイクル装置及び情報表示媒体リサイクル方法によれば、乾燥機能を向上することができるという効果を奏する。
【図面の簡単な説明】
【００１１】
【図１】本発明に係る一実施形態の情報表示媒体リサイクル装置の概念図である。
【図２】本発明に係る一実施形態の情報表示媒体リサイクル装置の一部破断具体的側面図である。
【図３】本発明に係る一実施形態の情報表示媒体リサイクル装置の一部破断平面図である。
【図４】本発明に係る一実施形態の情報表示媒体リサイクル方法の制御流れを説明するフローチャートである。
【図５】関連する情報表示媒体リサイクル装置の外観斜視図である。
【発明を実施するための形態】
【００１２】
以下、本発明に係る一実施形態の情報表示媒体リサイクル装置及び情報表示媒体リサイクル方法について図面を参照して説明する。
図１に示すように、本発明に係る情報表示媒体リサイクル装置１０は、情報表示媒体１を洗浄液により洗浄する洗浄部１１と、洗浄部１１を通過した情報表示媒体１に当接して情報表示媒体１を乾燥させる乾燥ローラ１２とを備える。
そして、情報表示媒体リサイクル装置１０は、加熱部１３を有し、加熱部１３の熱により情報表示媒体１に保持された情報を消去させるサーマルヘッド１４と、サーマルヘッド１４の熱を乾燥ローラ１２に伝える熱伝導手段１５とを備える。
【００１３】
次に、本発明に係る一実施形態の情報表示媒体リサイクル装置１０の具体的構造について説明する。
図２に示すように、情報表示媒体リサイクル装置１０は、本発明の情報表示媒体の一例としてのリライタブルシート１を洗浄液により洗浄する洗浄部１１を備える。
また、情報表示媒体リサイクル装置１０は、洗浄部１１を通過したリライタブルシート１に当接してリライタブルシート１を乾燥させる乾燥ローラ１２を備える。
そして、情報表示媒体リサイクル装置１０は、加熱部１３を有し、加熱部１３の熱によりリライタブルシート１に保持された情報を消去させるサーマルヘッド１４を備える。
さらに、情報表示媒体リサイクル装置１０は、サーマルヘッド１４の熱を乾燥ローラ１２に伝える本発明の熱伝導手段の一例としてのファン１５を備える。
加えて、情報表示媒体リサイクル装置１０は、装置全体の駆動制御を司る制御部１６と、リライタブルシート１の枚数をカウントする枚数カウンタ１７とをさらに備える。
【００１４】
リライタブルシート１は、例えば、自動車工場の製造ラインにおいて、各部品箱に部品納入の時間や数量を明示する作業指示書として用いられる。
このリライタブルシート１は、板状部材であり、作業者が可逆性感熱記録媒体等を用いた情報をプリンタで印刷したり、情報を消去したりする。
リライタブルシート１は、いわゆる「かんばん」として工場内で使用されるために、油等で汚れ、指示内容の読取が難しくなることがある。
従って、リライタブルシート１は、洗浄して情報を消去することにより、繰り返し使用される。
【００１５】
洗浄部１１は、リライタブルシート１の搬送方向の上流側から下流側に向けて、第１洗浄ローラ対１８と第２洗浄ローラ対１９と第３洗浄ローラ対２０とを備えている。
第１洗浄ローラ対１８は、上側洗浄ローラ軸２２を有する上側洗浄ローラ２１と下側洗浄ローラ軸２４を有する下側洗浄ローラ２３とを対向して備えている。
第１洗浄ローラ対１８は、下側洗浄ローラ２３が有底無蓋の洗浄液タンク２５に貯蔵した洗浄液に漬けられている。
【００１６】
第２洗浄ローラ対１９は、上側洗浄ローラ軸２７を有する上側洗浄ローラ２６と下側洗浄ローラ軸２９を有する下側洗浄ローラ２８とを対向して備えている。
第２洗浄ローラ対１９は、下側洗浄ローラ２８が有底無蓋の洗浄液タンク３０に貯蔵した洗浄液に漬けられている。
【００１７】
第３洗浄ローラ対２０は、上側洗浄ローラ軸３２を有する上側洗浄ローラ３１と下側洗浄ローラ軸３４を有する下側洗浄ローラ３３とを対向して備えている。
第３洗浄ローラ対２０は、下側洗浄ローラ３３が有底無蓋の水タンク３５に貯蔵した水に漬けられている。
【００１８】
洗浄部１１は、各洗浄ローラ軸２２，２４，２７，２９，３２，３４が不図示の歯車減速機構を有する不図示の洗浄ローラ駆動部に連結されている。
そして、洗浄ローラ駆動部は、制御部１６に電気的に接続されている。
【００１９】
枚数カウンタ１７は、洗浄部１１の外部であって、リライタブルシート１の搬送方向の上流側に取り付けられている。
枚数カウンタ１７は、洗浄部１１に挿入されてくるリライタブルシート１の枚数を上限のｎ枚まで計数することにより、その計数値を制御部１６に与える。
枚数カウンタ１７によるリライタブルシート１のカウント値がｎ枚を超えると、制御部１６により、そのカウント値がリセットされる。
なお、枚数カウンタ１７は、洗浄部１１内の所定位置に取り付けられてもよい。
【００２０】
乾燥ローラ１２は、第３洗浄ローラ対２０におけるリライタブルシート１の搬送方向の下流側においてユニットケース３６に収容されて乾燥ユニット３７を構成している。
乾燥ローラ１２は、上側乾燥ローラ軸３９を有する第１上側乾燥ローラ３８と下側乾燥ローラ軸４１を有する第１下側乾燥ローラ４０とを対向して備えている。
乾燥ローラ１２は、上側乾燥ローラ軸４３を有する第２上側乾燥ローラ４２と下側乾燥ローラ軸４５を有する第２下側乾燥ローラ４４とを対向して備えている。
各乾燥ローラ３８，４０，４２，４４は、水分を吸付ける例えばスポンジ部材等の高分子材料を外周部に取り付けている。
【００２１】
乾燥ローラ１２は、各乾燥ローラ軸３９，４１，４３，４５が不図示の歯車減速機構を有する不図示の乾燥ローラ駆動部に連結されている。
そして、乾燥ローラ駆動部は、制御部１６に電気的に接続されている。
【００２２】
ユニットケース３６は、リライタブルシート１の搬送方向の下流側に開口部４６を有し、一対の側板４７と、天板４８とを有する。
ユニットケース３６は、天板４８におけるリライタブルシート１の搬送方向の上流側に風向変更板４９を取り付けている。
風向変更板４９は、ファン１５が噴出した流体が衝突することにより、その流体を乾燥ローラ１２の各ローラ３８，４０，４２，４４に向ける機能を有する。
【００２３】
乾燥ユニット３７は、各上側乾燥ローラ軸３９，４３にテンションばね５０を当接させている。
また、乾燥ユニット３７は、各上側乾燥ローラ３８，４２と、各下側乾燥ローラ４０，４４との間にリライタブルシート１の搬送を誘導するための誘導板５１を取り付けている。
【００２４】
乾燥ローラ１２のリライタブルシート１の搬送方向の下流側には、ファン１５と搬送ローラ対５２とが取り付けられている。
ファン１５は、乾燥ローラ１２と、サーマルヘッド１４との間に配設されている。
ファン１５は、その回転軸５３がファンケース５４に回転自在に取り付けられており、不図示のファン駆動回路が制御部１６に電気的に接続されている。
ファンケース５４は、天板５５と、底板５６と、一対の側板５７と、を有し、リライタブルシート１の搬送方向に平行に上流側開口部５８と下流側開口部５９とを有する。
そして、ファンケース５４は、その上流側開口部５８が乾燥ユニット３７のユニットケース３６における開口部４６に連通するように取り付けられている。
【００２５】
搬送ローラ対５２は、上側搬送ローラ軸６１をそれぞれ有する一対の上側搬送ローラ６０と、下側搬送ローラ軸６３をそれぞれ有する一対の下側搬送ローラ６２とを対向して備えている。
各搬送ローラ対５２は、一対の上側搬送ローラ６０と一対の下側搬送ローラ６２との間にファン１５のファンケース５４を配置している。
搬送ローラ対５２は、各搬送ローラ軸６１，６３が不図示の歯車減速機構を有する不図示の搬送ローラ駆動部に連結されている。
そして、搬送ローラ駆動部は、制御部１６に電気的に接続されている。
【００２６】
サーマルヘッド１４は、サーマルヘッド駆動部６４に機械的に接続されている。
サーマルヘッド駆動部６４は、熱源となる加熱部１３を有し、サーマルヘッド１４を上昇位置Ａ１と下降位置Ａ２との間で移動させるサーマルヘッド移動機構部６５を備えている。
ここで、サーマルヘッド１４は、サーマルヘッド移動機構部６５により上昇位置Ａ１にある際に、ファン１５のファンケース５４における下流側開口部５９に一致するように配置されている。
【００２７】
サーマルヘッド１４は、下降位置Ａ２においてリライタブルシート１を挟み込むためのプラテン６６に対向配置されている。
プラテン６６は、プラテン軸６７を有し、プラテン軸６７は、不図示の歯車減速機構を有する不図示のプラテン駆動部に連結されている。
そして、プラテン駆動部は、制御部１６に電気的に接続されている。
【００２８】
制御部１６は、洗浄部１１の洗浄ローラ駆動部と、乾燥ローラ１２の乾燥ローラ駆動部と、搬送ローラ対５２の搬送ローラ駆動部とを総括して制御するプログラムを有する。
このプログラムは、ファン１５のファン駆動回路と、サーマルヘッド駆動部６４と、プラテン駆動部とを含む。
【００２９】
図３に示すように、情報表示媒体リサイクル装置１０は、プラテン６６におけるリライタブルシート１の搬送方向の下流側に搬送ローラ軸６９を有する一対の搬送ローラ６８を備えている。
搬送ローラ６８は、サーマルヘッド１４から下流に搬送されるリライタブルシート１を支持する。
【００３０】
次に、図２に示した情報表示媒体リサイクル装置１０における制御部１６の基本的な処理動作について説明する。
まず、リライタブルシート１が第１洗浄ローラ対１８に挿入されることにより、リライタブルシート１が第１洗浄ローラ対１８、第２洗浄ローラ対１９、第３洗浄ローラ対２０の順に搬送されていく。
このとき、枚数カウンタ１７は、リライタブルシート１の枚数の計数を始めている。
【００３１】
ここで、洗浄部１１では、第１洗浄ローラ対１８からリライタブルシート１が搬送されることにより、第１洗浄ローラ対１８と第２洗浄ローラ対１９とにおいて洗浄液でリライタブルシート１に付着している脂分等を洗い流す。
洗浄部１１は、第３洗浄ローラ対２０にリライタブルシート１が搬送されることにより、第３洗浄ローラ対２０においてリライタブルシート１の洗浄液を水で洗い流す。
このとき、リライタブルシート１は、あらかじめ保持されている可逆性感熱記録媒体が消去されていない。
【００３２】
次に、リライタブルシート１は、洗浄部１１から乾燥ローラ１２へ搬送されていくことにより、洗浄部１１の各乾燥ローラ３８，４０，４２，４４により付着している水が拭い取られる。
【００３３】
そして、リライタブルシート１は、乾燥ローラ１２から搬送ローラ対５２に引き渡されて搬送されていき、プラテン６６上を搬送されていく。
ここで、サーマルヘッド１４が加熱されながら上昇位置Ａ１から下降位置Ａ２へ移動してくる。
【００３４】
そして、サーマルヘッド１４がリライタブルシート１をプラテン６６とともに挟み込む。
サーマルヘッド１４は、リライタブルシート１の上面に当接されることにより、加熱部１３による例えば１５０度の熱をリライタブルシート１上の可逆性感熱記録媒体に熱的に接続させる。
これにより、リライタブルシート１は、可逆性感熱記録媒体が消去され、搬送ローラ６８により排出口へ向けて搬送されていくこととなる。
【００３５】
この状態において、第１洗浄ローラ対１８、第２洗浄ローラ対１９、第３洗浄ローラ対２０、乾燥ローラ１２が継続して駆動されている。
次に、枚数カウンタ１７の計数がｎ枚を超えると、ファン１５が駆動される。ファン１５は、駆動されることにより、サーマルヘッド１４の熱をファンケース５４の下流側開口部５９から吸い込む。
そして、ファン１５は下流側開口部５９から吸い込んだ熱風をファンケース５４の上流側開口部５８を通じて乾燥ローラ１２に向けて吹き出す。
次に、サーマルヘッド１４が上昇位置Ａ１にある状態において、加熱部１３が駆動されてサーマルヘッド１４が加熱される。
このとき、ファン１５の駆動に伴い、ファンケース５４の上流側開口部５８から乾燥ローラ１２に向けて吹き出した熱風は、乾燥ローラ１２のユニットケース３６の天板４８の下面に沿って流れていく。
そして、その熱風は、ユニットケース３６の風向変更板４９により各乾燥ローラ３８，４０，４２，４４に向けて変更して進行する。
従って、各乾燥ローラ３８，４０，４２，４４は、ファン１５を通じてサーマルヘッド１４から伝わってきた熱風により、付着している水分が乾燥されることになる。
これにより、各乾燥ローラ３８，４０，４２，４４は、付着した水分を自動的に乾燥できるために、ユニット交換等を行うことなく、長期的な使用を行うことができる。
【００３６】
次に、本発明に係る一実施形態の情報表示媒体リサイクル方法の具体的動作について図２に基づいて図４のフローチャートを参照して説明する。なお、この制御動作の説明では、前述した洗浄部１１と乾燥ローラ１２との動作については省略する。
図４に示すように、制御部１６の制御が開始されることにより、枚数カウンタ１７の計数値がｎ枚を超えたか否かを判別する（Ｓ１０１）。
次に、枚数カウンタ１７の計数値がｎ枚を超えるまでは、消去モードが設定されているか否かを判別する（Ｓ１０２）。
通常はリライタブルシート１の消去モードが設定されている。
そのため、サーマルヘッド１４の加熱部１３を駆動させつつ、サーマルヘッド１４を上昇位置Ａ１から下降位置Ａ２まで移動させる（Ｓ１０３）。
これにより、リライタブルシート１は、サーマルヘッド１４の熱により、可逆性感熱記録媒体が消去され、搬送ローラ６８により排出口へ向けて搬送されていく。
【００３７】
次に、枚数カウンタ１７の計数値がｎ枚を超えておらず、消去モードが設定されていない場合、サーマルヘッド１４は、上昇位置Ａ１に保持されている（Ｓ１０４）。
これにより、リライタブルシート１は、可逆性感熱記録媒体の消去を行わずに、洗浄のみを行われて搬送ローラ６８により排出口へ向けて搬送されていく。
【００３８】
一方、制御部１６は、枚数カウンタ１７の計数がｎ枚を超えると、ファン１５を駆動させる（Ｓ１０５）。
ここで、消去モードが設定されている場合は、サーマルヘッド１４を上昇位置Ａ１から下降位置Ａ２まで移動させ、加熱部１３を駆動させる（Ｓ１０６→Ｓ１０７）。
これとは異なり、消去モードが設定されていない場合は、サーマルヘッド１４を上昇位置Ａ１に保持したままで、加熱部１３を駆動させる（Ｓ１０６→Ｓ１０８）。
これにより、ファン１５の駆動に伴い、サーマルヘッド１４の熱がファンケース５４の下流側開口部５９から吸い込まれる。
そして、ファン１５が下流側開口部５９から吸い込んだ熱風をファンケース５４の上流側開口部５８を通じて乾燥ローラ１２に向けて吹き出す。
これにより、各乾燥ローラ３８，４０，４２，４４は、ファン１５を通じてサーマルヘッド１４から伝わってきた熱風により、付着している水分が乾燥される。
従って、乾燥ローラ３８，４０，４２，４４は、水分を含まない未使用状態に復帰することなる。
【００３９】
以上、説明したように、本発明の一実施形態の情報表示媒体リサイクル装置１０によれば、乾燥ローラ１２に付着している水分を、ファン１５を通じてサーマルヘッド１４から伝わってきた熱風により強制的に乾燥することができる。
従って、情報表示媒体リサイクル装置１０によれば、乾燥ローラ１２をユニット交換することなく乾燥機能を向上することができる。
【００４０】
また、情報表示媒体リサイクル装置１０によれば、サーマルヘッド１４の熱を送り出すのにファン１５を適用している。
従って、情報表示媒体リサイクル装置１０によれば、内部構造を大幅に変更する必要がないので、コスト面で有利に製造することができる。
【００４１】
そして、情報表示媒体リサイクル装置１０によれば、乾燥ローラ１２と、サーマルヘッド１４との間にファン１５を配設した。
従って、情報表示媒体リサイクル装置１０によれば、サーマルヘッド１４の熱を直接的に無駄なく活用することができる。
【００４２】
さらに、情報表示媒体リサイクル装置１０によれば、サーマルヘッド１４の上昇位置Ａ１及び下降位置Ａ２において加熱部１３を加熱駆動させるプログラムを有する制御部１６を備える。
従って、情報表示媒体リサイクル装置１０によれば、枚数カウンタ１７のカウント数及び消去モードの設定の有無に対応してサーマルヘッド１４を確実に駆動できる。
【００４３】
本発明の一実施形態の情報表示媒体リサイクル方法によれば、サーマルヘッド１４で発生した熱を利用して乾燥ローラ１２を乾燥させることにより乾燥ローラ１２を強制的に乾燥させることができる。
従って、情報表示媒体リサイクル方法によれば、乾燥ローラ１２をユニット交換することなく乾燥機能を向上することができる。また、構成が簡単であるとともに乾燥ロールの劣化を抑えることができる。
【００４４】
なお、本発明の情報表示媒体リサイクル装置及び情報表示媒体リサイクル方法は、前述した一実施形態に限定するものでなく、適宜な変形や改良等が可能である。
【符号の説明】
【００４５】
１  リライタブルシート（情報表示媒体）
１０  情報表示媒体リサイクル装置
１１  洗浄部
１２  乾燥ローラ
１３  加熱部
１４  サーマルヘッド
１５  ファン
１６  制御部
【図１】
2014069394.tif 000003
【図２】
2014069394.tif 000004
【図３】
2014069394.tif 000005
【図４】
2014069394.tif 000006
【図５】
2014069394.tif 000007